(57)【要約】【課題】安価にコンビニエンスストア等のガラス壁に対応する誤発進防止機能を実現することができる車両用誤発進防止装置を提供すること。【解決手段】車両１の所定方向に電波を発射し、この電波を受信して起動した電子タグから送信される電波を受信することによって電子タグを検出する電子タグ検出部４と、車両１の発進時に、電子タグ検出部４により車両の進行方向に電子タグが存在することが検出された場合、車両１を停止させる制御装置５と、を備える。【選択図】図１
2020082944.tif 000002
【特許請求の範囲】
【請求項１】
車両の所定方向に存在する電子タグを検出する電子タグ検出部と、
前記車両の発進時に、前記電子タグ検出部により前記車両の進行方向に電子タグが存在することが検出された場合、前記車両を停止させる制御装置と、を備える車両用誤発進防止装置。
【請求項２】
前記制御装置は、前記車両の発進時に、前記電子タグ検出部により前記車両の進行方向に電子タグが所定数以上存在することが検出された場合、前記車両を停止させる請求項１に記載の車両用誤発進防止装置。
【請求項３】
前記制御装置は、前記車両の発進時に、前記電子タグ検出部により前記車両の進行方向に電子タグが存在することが検出され、検出された電子タグの高さ位置が所定の高さ位置以上である場合、前記車両を停止させる請求項１または請求項２に記載の車両用誤発進防止装置。
【発明の詳細な説明】
【技術分野】
【０００１】
本発明は、車両用誤発進防止装置に関する。
【背景技術】
【０００２】
現在、自動車の衝突を回避するため、カメラやレーザセンサによって障害物が検出された場合に、自動でブレーキを作動させる自動ブレーキが普及している。
【０００３】
さらに、最近では、カメラやレーザセンサでは対応できないコンビニエンスストア等のガラス壁に対応するため、従来のセンサと併用して、専用センサが用いられている。
【０００４】
特許文献１には、車両に搭載された電波照射部と、電波照射部から照射され物体に衝突して反射した電波を検出する電波検出部と、電波検出部によって検出された電波が物体と電波照射部または車両との間を複数回往復した多重反射電波であるか否かを判定する判定部と、電波検出部によって検出された電波が判定部によって多重反射電波であると判定された場合、車両の誤発進抑制モードを作動させる誤発進制御部と、を備える誤発進抑制システムが記載されている。
【先行技術文献】
【特許文献】
【０００５】
【特許文献１】特開２０１５−１０３１５０号公報
【発明の概要】
【発明が解決しようとする課題】
【０００６】
しかしながら、車両の誤発進防止機能において、コンビニエンスストア等のガラス壁に対応するための専用の電波発信装置を用いると、車両用誤発進防止装置が高価になってしまう、という課題があった。
【０００７】
そこで、本発明は、安価にコンビニエンスストア等のガラス壁に対応する誤発進防止機能を実現することができる車両用誤発進防止装置を提供することを目的としている。
【課題を解決するための手段】
【０００８】
上記課題を解決するため本発明は、車両の所定方向に存在する電子タグを検出する電子タグ検出部と、前記車両の発進時に、前記電子タグ検出部により前記車両の進行方向に電子タグが存在することが検出された場合、前記車両を停止させる制御装置と、を備えるものである。
【発明の効果】
【０００９】
このように、本発明によれば、安価にコンビニエンスストア等のガラス壁に対応する誤発進防止機能を実現することができる。
【図面の簡単な説明】
【００１０】
【図１】図１は、本発明の一実施例に係る車両用誤発進防止装置のブロック図である。
【図２】図２は、本発明の一実施例に係る車両用誤発進防止装置の概略構成図である。
【図３】図３は、本発明の一実施例に係る車両用誤発進防止装置の誤発進防止処理の手順を示すフローチャートである。
【図４】図４は、本発明の一実施例に係る車両用誤発進防止装置の作用の例を示す図である。
【図５】図５は、本発明の一実施例の第１の他の態様に係る車両用誤発進防止装置の誤発進防止処理の手順を示すフローチャートである。
【図６】図６は、本発明の一実施例の第２の他の態様に係る車両用誤発進防止装置の誤発進防止処理の手順を示すフローチャートである。
【図７】図７は、本発明の一実施例の第２の他の態様に係る車両用誤発進防止装置の作用の例を示す図である。
【図８】図８は、本発明の一実施例の第３の他の態様に係る車両用誤発進防止装置の誤発進防止処理の手順を示すフローチャートである。
【図９】図９は、本発明の一実施例に係る車両用誤発進防止装置の利用例を示す図である。
【発明を実施するための形態】
【００１１】
本発明の一実施の形態に係る車両用誤発進防止装置は、車両の所定方向に存在する電子タグを検出する電子タグ検出部と、車両の発進時に、電子タグ検出部により車両の進行方向に電子タグが存在することが検出された場合、車両を停止させる制御装置と、を備えるよう構成されている。
【００１２】
これにより、本発明の一実施の形態に係る車両用誤発進防止装置は、安価にコンビニエンスストア等のガラス壁に対応する誤発進防止機能を実現することができる。
【実施例】
【００１３】
以下、図面を参照して、本発明の実施例に係る車両用誤発進防止装置について詳細に説明する。
【００１４】
図１において、本発明の一実施例に係る車両用誤発進防止装置を搭載した車両１は、エンジン２と、ブレーキ装置３と、電子タグ検出部４と、制御装置５と、を含んで構成される。
【００１５】
エンジン２には、複数の気筒が形成されている。本実施例において、エンジン２は、各気筒に対して、吸気行程、圧縮行程、膨張行程及び排気行程からなる一連の４行程を行なうように構成されている。本実施例においては、エンジン２の駆動力によって車両１を走行させるようになっている。
【００１６】
ブレーキ装置３は、図示しないブレーキペダルに入力された運転者の操作圧力（ペダル踏力）により図示しない車輪に機械的な制動力を働かせる。ブレーキ装置３は、制御装置５の制御により車輪に機械的な制動力を働かせられるようになっている。
【００１７】
電子タグ検出部４は、ＩＣ（Integrated Circuit）タグやＲＦ（Radio Frequency）タグなどの電子タグを検出する。電子タグ検出部４は、例えば、所定の方向に電波を発射し、この電波を受信して起動した電子タグから送信された電波を受信することによって電子タグが存在することを検出する。電子タグから送信する電波で電子タグ検出部４へ情報を送信することもできる。電子タグ検出部４が発射する電波を電子タグが受信可能な範囲が電子タグの検出範囲となる。
【００１８】
制御装置５は、ＣＰＵ（Central Processing Unit）と、ＲＡＭ（Random Access Memory）と、ＲＯＭ（Read Only Memory）と、入力ポートと、出力ポートとを備えたコンピュータユニットによって構成されている。
【００１９】
制御装置５のＲＯＭには、各種制御定数や各種マップ等とともに、当該コンピュータユニットを制御装置５として機能させるためのプログラムが記憶されている。すなわち、ＣＰＵがＲＯＭに記憶されたプログラムを実行することにより、当該コンピュータユニットは、制御装置５として機能する。
【００２０】
制御装置５の入力ポートには、前述の電子タグ検出部４を含む各種センサ類が接続されている。一方、制御装置５の出力ポートには、前述のエンジン２と、ブレーキ装置３とを含む各種制御対象類が接続されている。
【００２１】
制御装置５は、図示しないインジェクタやスロットルバルブを制御することにより燃料噴射量や吸入空気量を制御させて、エンジン２を制御する。
【００２２】
電子タグ検出部４は、例えば、図２に示すように、車両１の前方及び後方にそれぞれ設けられる。車両１の前方に設けられた電子タグ検出部４は、車両１の前方に電波を発射し、この電波を受信して起動した電子タグから送信された電波を受信することによって車両１の前方に存在する電子タグを検出する。車両１の後方に設けられた電子タグ検出部４は、車両１の後方に電波を発射し、この電波を受信して起動した電子タグから送信された電波を受信することによって車両１の後方に存在する電子タグを検出する。
【００２３】
本実施例において、制御装置５は、車両１の発進時に、車両１の進行方向に電子タグが存在することを検出した場合、電子タグが取り付けられた物体が存在するとみなして、ブレーキ装置３により車両１を停止させる。なお、エンジン２から発生する駆動力を車輪に伝達しないようにすることで車両１を停止させてもよいし、エンジン２を停止させて車両１を停止させてもよい。
【００２４】
車両１の発進は、例えば、図示しないブレーキペダルの踏み込みがないこと、アクセル開度が所定開度以上であること、などの全てが成立したことにより判定する。
【００２５】
車両１の進行方向は、例えば、運転者の図示しないシフトレバーへの操作により選択されたシフト位置により判定する。
【００２６】
以上のように構成された本実施例に係る車両用誤発進防止装置による誤発進防止処理について、図３を参照して説明する。なお、以下に説明する誤発進防止処理は、車両１の発進が検出されると開始され、予め設定された時間間隔で実行され、車速が所定速度以上になると終了する。
【００２７】
ステップＳ１において、制御装置５は、電子タグ検出部４を作動させて検出範囲内の電子タグを検出させる。
【００２８】
ステップＳ２において、制御装置５は、車両１の進行方向の検出範囲に電子タグが存在するか否かを判定する。電子タグが存在しないと判定した場合、制御装置５は、処理を終了する。
【００２９】
電子タグが存在すると判定した場合、ステップＳ３において、制御装置５は、自動ブレーキ機能を作動させて、ブレーキ装置３により車両１を停止させ、処理を終了する。
【００３０】
このように、本実施例では、車両１の発進時に、車両１の進行方向に電子タグが存在することを検出した場合、車両１を自動で停止させている。
【００３１】
図４に示すように、コンビニエンスストア等の店舗のガラス壁１０の付近には、電子タグが付けられた商品１１が陳列されている。商品１１には商品１１の管理のために電子タグが付けられている。このような商品１１に付けられた電子タグを検出して車両１が自動で停止されるため、コンビニエンスストア等のガラス壁に対応する誤発進防止機能を実現することができる。
【００３２】
また、商品１１に付けられた電子タグを検出しているため、店舗側は設備投資が必要なく、車両側は低価格の電子タグ検出部４を追加すればよく、安価にコンビニエンスストア等のガラス壁に対応する誤発進防止機能を実現することができる。
【００３３】
また、既存のセンサで検出できない障害物に対しても、電子タグにより安価に誤発進防止機能を実現することができる。
【００３４】
本実施例の第１の他の態様としては、制御装置５は、車両１の発進時に、車両１の進行方向に電子タグが所定数以上存在することを検出した場合に、車両１を自動で停止させる。
【００３５】
以上のように構成された本実施例の第１の他の態様に係る車両用誤発進防止装置による誤発進防止処理について、図５を参照して説明する。なお、以下に説明する誤発進防止処理は、車両１の発進が検出されると開始され、予め設定された時間間隔で実行され、車速が所定速度以上になると終了する。
【００３６】
ステップＳ１１において、制御装置５は、電子タグ検出部４を作動させて検出範囲内の電子タグを検出させる。
【００３７】
ステップＳ１２において、制御装置５は、車両１の進行方向の検出範囲に電子タグが存在するか否かを判定する。電子タグが存在しないと判定した場合、制御装置５は、処理を終了する。
【００３８】
電子タグが存在すると判定した場合、ステップＳ１３において、制御装置５は、検出された電子タグの数は所定数以上であるか否かを判定する。電子タグの数は所定数以上でないと判定した場合、制御装置５は、処理を終了する。
【００３９】
電子タグの数は所定数以上であると判定した場合、ステップＳ１４において、制御装置５は、自動ブレーキ機能を作動させて、ブレーキ装置３により車両１を停止させ、処理を終了する。
【００４０】
このように、本実施例の第１の他の態様では、車両１の発進時に、車両１の進行方向に電子タグが所定数以上存在することを検出した場合に、車両１を自動で停止させる。
【００４１】
これにより、電子タグが付いたゴミなどが道路上に散在していた場合などに車両１が自動で停止してしまう誤発進防止機能の誤動作を抑えることができる。
【００４２】
本実施例の第２の他の態様としては、制御装置５は、車両１の発進時に、車両１の進行方向に電子タグが存在し、その電子タグが特定情報を所持していることを検出した場合に、車両１を自動で停止させる。
【００４３】
以上のように構成された本実施例の第２の他の態様に係る車両用誤発進防止装置による誤発進防止処理について、図６を参照して説明する。なお、以下に説明する誤発進防止処理は、車両１の発進が検出されると開始され、予め設定された時間間隔で実行され、車速が所定速度以上になると終了する。
【００４４】
ステップＳ２１において、制御装置５は、電子タグ検出部４を作動させて検出範囲内の電子タグを検出させる。
【００４５】
ステップＳ２２において、制御装置５は、車両１の進行方向の検出範囲に電子タグが存在するか否かを判定する。電子タグが存在しないと判定した場合、制御装置５は、処理を終了する。
【００４６】
電子タグが存在すると判定した場合、ステップＳ２３において、制御装置５は、検出された電子タグは特定情報を所持しているか否かを判定する。電子タグは特定情報を所持していないと判定した場合、制御装置５は、処理を終了する。
【００４７】
電子タグは特定情報を所持していると判定した場合、ステップＳ２４において、制御装置５は、自動ブレーキ機能を作動させて、ブレーキ装置３により車両１を停止させ、処理を終了する。
【００４８】
このように、本実施例の第２の他の態様では、車両１の発進時に、車両１の進行方向に電子タグが存在し、その電子タグが特定情報を所持していることを検出した場合、車両１を自動で停止させている。
【００４９】
図７に示すように、電子タグを付けられた商品が無い自宅駐車場などにおいて誤発進防止機能を動作させる場合、自宅の壁面１２に多数の電子タグを付けなくても、特定情報を所持する電子タグ１３を一枚または数枚付けることで、誤発進防止機能を動作させることができる。
【００５０】
本実施例の第３の他の態様としては、制御装置５は、車両１の発進時に、車両１の進行方向に電子タグが存在し、その電子タグの高さ位置が所定の高さ位置以上であることを検出した場合に、車両１を自動で停止させる。
【００５１】
以上のように構成された本実施例の第３の他の態様に係る車両用誤発進防止装置による誤発進防止処理について、図８を参照して説明する。なお、以下に説明する誤発進防止処理は、車両１の発進が検出されると開始され、予め設定された時間間隔で実行され、車速が所定速度以上になると終了する。
【００５２】
ステップＳ３１において、制御装置５は、電子タグ検出部４を作動させて検出範囲内の電子タグを検出させる。
【００５３】
ステップＳ３２において、制御装置５は、車両１の進行方向の検出範囲に電子タグが存在するか否かを判定する。電子タグが存在しないと判定した場合、制御装置５は、処理を終了する。
【００５４】
電子タグが存在すると判定した場合、ステップＳ３３において、制御装置５は、検出された電子タグの高さ位置が所定の高さ位置以上か否かを判定する。電子タグの高さ位置が所定の高さ位置以上でないと判定した場合、制御装置５は、処理を終了する。
【００５５】
電子タグの高さ位置が所定の高さ位置以上であると判定した場合、ステップＳ３４において、制御装置５は、自動ブレーキ機能を作動させて、ブレーキ装置３により車両１を停止させ、処理を終了する。
【００５６】
このように、本実施例の第３の他の態様では、車両１の発進時に、車両１の進行方向に電子タグが存在し、その電子タグの高さ位置が所定の高さ位置以上であることを検出した場合、車両１を自動で停止させている。
【００５７】
これにより、車両１により踏み越えられる高さ位置を所定の高さ位置に設定すれば、電子タグが付いた車両１により踏み越えられる高さ位置のゴミなどが道路上に散在していた場合などに誤発進防止機能の動作を抑え、不要な車両停止を抑制させることができる。
【００５８】
なお、本実施例においては、壁面付近に存在する電子タグを検出する場合を想定したが、図９に示すように、車両１４のバンパーに電子タグ１５を貼付して、車車間で誤発進防止機能を作動させるようにしてもよい。また、歩行者の所持品の電子タグを検出することで、歩車間で誤発進防止機能を作動させるようにしてもよい。
【００５９】
本実施例では、各種センサ情報に基づき制御装置５が各種の判定や算出を行なう例について説明したが、これに限らず、車両１が外部サーバ等の車外装置と通信可能な通信部を備え、該通信部から送信された各種センサの検出情報に基づき車外装置によって各種の判定や算出が行なわれ、その判定結果や算出結果を通信部で受信して、その受信した判定結果や算出結果を用いて各種制御を行なってもよい。
【００６０】
本発明の実施例を開示したが、当業者によっては本発明の範囲を逸脱することなく変更が加えられうることは明白である。すべてのこのような修正及び等価物が次の請求項に含まれることが意図されている。
【符号の説明】
【００６１】
１  車両
２  エンジン
３  ブレーキ装置
４  電子タグ検出部
５  制御装置
【図１】
2020082944.tif 000003
【図２】
2020082944.tif 000004
【図３】
2020082944.tif 000005
【図４】
2020082944.tif 000006
【図５】
2020082944.tif 000007
【図６】
2020082944.tif 000008
【図７】
2020082944.tif 000009
【図８】
2020082944.tif 000010
【図９】
2020082944.tif 000011